(57)【要約】【課題】不快な気流感を抑制しつつ、遮音性を向上させることができる住宅換気システムを提供する。【解決手段】住宅換気システムは、室内空間Ｈ１の天井面を構成する天井材３と、天井材３の上方に形成された天井裏空間４と、壁２と天井材３の取合部に設けられた廻縁５と、室内空間Ｈ１の床面を構成する床材６と、床材６の下方に形成された床下空間７と、壁２と床材６の取合部に設けられた巾木８と、屋外Ｓと天井裏空間４とを連通する給気口９と、天井裏空間４と室内空間Ｈ１とを連通する第１通気口１０と、室内空間Ｈ１と床下空間７とを連通する第２通気口１１と、床下空間７の空気を屋外Ｓへ排出する排気手段１２とを備える。廻縁５は、天井材３に対し隙間Ｇ１を空けた状態で配置される。巾木８は、床材６に対し隙間Ｇ２を空けた状態で配置される。第１通気口１０は、廻縁５の直上に形成される。第２通気口１１は、巾木８の直下に形成される。【選択図】図１
2015129611.tif 000002
【特許請求の範囲】
【請求項１】
室内空間の天井面を構成する天井材と、
前記天井材の上方に形成された天井裏空間と、
壁と前記天井材の取合部に設けられ、当該壁に取り付けられた廻縁と、
前記室内空間の床面を構成する床材と、
前記床材の下方に形成された床下空間と、
壁と前記床材の取合部に設けられ、当該壁に取り付けられた巾木と、
屋外と前記天井裏空間とを連通する給気口と、
前記天井裏空間と前記室内空間とを連通する第１通気口と、
前記室内空間と前記床下空間とを連通する第２通気口と、
前記床下空間の空気を前記屋外へ排出する排気手段と、を備えた住宅換気システムであって、
前記廻縁は、前記天井材に対し隙間を空けた状態で配置され、
前記巾木は、前記床材に対し隙間を空けた状態で配置され、
前記第１通気口は、前記廻縁の直上に形成されており、
前記第２通気口は、前記巾木の直下に形成されていることを特徴とする住宅換気システム。
【請求項２】
前記給気口は、外壁に設けられ、
前記第１通気口は、前記外壁に対向する壁に隣接して設けられていることを特徴とする請求項１に記載の住宅換気システム。
【請求項３】
前記天井裏空間には、仕切部材によって、前記給気口から流入した空気を前記第１通気口へ導く給気経路が形成されていることを特徴とする請求項１又は請求項２に記載の住宅換気システム。
【発明の詳細な説明】
【技術分野】
【０００１】
本発明は、住宅換気システムに関する。
【背景技術】
【０００２】
近年の新築住宅では、シックハウス症候群を防ぐために、２４時間換気システムを設置することが法律上義務付けられている。
【０００３】
この種の住宅換気システムとしては、例えば、特許文献１に記載のものがある。特許文献１に記載の住宅換気システムは、居室の外壁に設けられた給気口と、居室と非居室とを隔てる扉の下端に設けられたアンダーカットと、非居室の天井に設けられた排気口と、天井裏空間に設置された排気ファンと、を備える。
【０００４】
特許文献１の発明では、排気ファンが駆動すると、非居室の空気が排気口や天井裏空間を通って屋外へ排出されつつ、給気口から流入した空気がアンダーカットを通って非居室へ導入される。これにより、居室の給気口から非居室を通って屋外へ至る換気経路を形成でき、住宅内の換気を常時行えるようになっている。
【先行技術文献】
【特許文献】
【０００５】
【特許文献１】特開平１０−１８５２６９号公報
【発明の概要】
【発明が解決しようとする課題】
【０００６】
しかし、居室の外壁に給気口を設けると、冬季等の低温環境下では、屋外の冷気が給気口から居室へ直に流入するので、冷気流が居住者に当たってしまい、不快な気流感を与えるという問題があった。
また、屋外で発生した音が給気口から居室へ直接伝播する一方、居室で発生した音が給気口から屋外へ直接伝播するので、屋内外間の遮音性が悪かった。
【０００７】
さらに、扉の下端にアンダーカットを設けて通気路を確保する場合には、アンダーカットの開口面積を大きくする必要があるので、多量の冷気がアンダーカットを通って非居室へ流入してしまい、居住者に不快な気流感を与えるという問題があった。
また、居室や非居室で発生した音がアンダーカットを通って別の居室や非居室へ漏れやすいので、住宅内の遮音性が悪かった。
なお、このような問題は、アンダーカットの他に、ガラリ等を用いた場合にも共通して当てはまる問題である。
【０００８】
本発明は、このような観点から創案されたものであり、不快な気流感を抑制しつつ、遮音性を向上させることができる住宅換気システムを提供することを課題とする。
【課題を解決するための手段】
【０００９】
前記の課題を解決するために、本発明は、室内空間の天井面を構成する天井材と、前記天井材の上方に形成された天井裏空間と、壁と前記天井材の取合部に設けられ、当該壁に取り付けられた廻縁と、前記室内空間の床面を構成する床材と、前記床材の下方に形成された床下空間と、壁と前記床材の取合部に設けられ、当該壁に取り付けられた巾木と、屋外と前記天井裏空間とを連通する給気口と、前記天井裏空間と前記室内空間とを連通する第１通気口と、前記室内空間と前記床下空間とを連通する第２通気口と、前記床下空間の空気を前記屋外へ排出する排気手段と、を備えた住宅換気システムであって、前記廻縁は、前記天井材に対し隙間を空けた状態で配置され、前記巾木は、前記床材に対し隙間を空けた状態で配置され、前記第１通気口は、前記廻縁の直上に形成されており、前記第２通気口は、前記巾木の直下に形成されていることを特徴とする。
【００１０】
本発明によれば、給気口から流入した空気は、天井裏空間、第１通気口の順に流れた後、室内空間へ導入される。給気口から流入した空気は、天井裏空間で拡散するので、空気の流速を下げることができる。したがって、室内空間に直に空気を流入させる構成に比べ、空気が室内空間へ緩やかに導入されるので、居住者に与える不快な気流感を抑制できる。
また、屋外で発生した音は、給気口から天井裏空間を通って室内空間へ伝播する一方、室内空間で発生した音は、天井裏空間を通って給気口から屋外へ伝播する。これにより、屋内外で発生した音は、天井裏空間で減衰されるので、屋内外間の遮音性を向上させることができる。
【００１１】
また、本発明によれば、室内空間へ導入された空気は、室内空間全体に拡散しつつ、第２通気口、床下空間の順に流れた後、排気手段により屋外へ排出される。これにより、床下空間を介して屋外へ空気を排出することが可能となり、アンダーカット等を介して屋外へ空気を排出する必要がないので、アンダーカット等を縮小乃至省略できる。したがって、アンダーカット等を通る空気量を低減できるので、居住者に与える不快な気流感を抑制できる。
また、アンダーカット等を縮小乃至省略できるので、室内空間で発生した音がアンダーカット等を通って別の室内空間へ漏れ難くなり、住宅内の遮音性を向上させることができる。
【００１２】
また、前記給気口は、外壁に設けられ、前記第１通気口は、前記外壁に対向する壁に隣接して設けられている構成とするのが好ましい。
【００１３】
かかる構成によれば、給気口から第１通気口までの距離を長く確保できるので、空気の流速をより一層下げることが可能となり、居住者に与える不快な気流感をより一層抑制できる。
【００１４】
また、前記天井裏空間には、仕切部材によって、前記給気口から流入した空気を前記第１通気口へ導く給気経路が形成されている構成とするのが好ましい。
【００１５】
かかる構成によれば、給気口から流入した空気は、給気経路をスムーズに流れつつ、仕切部材により第１通気口へ誘引されやすくなる。
【発明の効果】
【００１６】
本発明によれば、不快な気流感を抑制しつつ、遮音性を向上させることができる住宅換気システムを提供することができる。
【図面の簡単な説明】
【００１７】
【図１】本発明の実施形態に係る住宅換気システムが適用された住宅の概略断面図である。
【図２】（ａ）は、図１に示す廻縁付近を示す部分拡大断面図であり、（ｂ）は、廻縁付近を示す部分拡大斜視図である。
【図３】（ａ）は、図１に示す巾木付近を示す部分拡大断面図であり、（ｂ）は、巾木付近を示す部分拡大斜視図である。
【図４】本発明の変形例に係る住宅換気システムが適用された住宅の概略断面図である。
【発明を実施するための形態】
【００１８】
本発明の実施形態に係る住宅換気システムが適用された住宅について、図面を参照して詳細に説明する。説明において、同一の要素には同一の符号を付し、重複する説明は省略する。本実施形態では、本発明の住宅換気システムを、マンション等の集合住宅に適用した場合を例にとって説明する。また、本実施形態では、集合住宅の１住戸を以下詳細に説明する。
【００１９】
図１に示すように、住宅Ｈは、スラブ１と、室内空間Ｈ１の壁面を構成する複数の壁２と、室内空間Ｈ１の天井面を構成する天井材３と、天井材３の上方に形成された天井裏空間４と、壁２と天井材３の取合部に設けられた廻縁５と、室内空間Ｈ１の床面を構成する床材６と、床材６の下方に形成された床下空間７と、壁２と床材６の取合部に設けられた巾木８と、屋外Ｓと天井裏空間４とを連通する給気口９と、天井裏空間４と室内空間Ｈ１とを連通する第１通気口１０と、室内空間Ｈ１と床下空間７とを連通する第２通気口１１と、床下空間７の空気を屋外Ｓへ排出する排気手段１２と、を備える。
本実施形態では、室内空間Ｈ１は、２つの居室Ｈ２と、居室Ｈ２同士の間に配置された２つの非居室Ｈ３，Ｈ４とで構成されている。また、非居室Ｈ３は、サニタリールーム（例えば浴室、洗面室、トイレ等）であり、非居室Ｈ４は、廊下である。なお、図１中の実線矢印は、空気の流れを示している。
【００２０】
＜スラブ＞
スラブ１は、住宅Ｈを含む建物の躯体の一部である。スラブ１は、床下空間７の底面を構成している。
【００２１】
＜壁＞
壁２は、室内空間Ｈ１の周囲を囲う部材である。壁２には、スラブ１の上面に連設された外壁２ａと、床材６の上に設置され室内空間Ｈ１同士を区画する間仕切り壁２ｂと、住戸同士を区画する戸境壁（図示省略）とが含まれている。外壁２ａは、建物の躯体である。居室Ｈ２に面する間仕切り壁２ｂには、扉２ｃが開閉可能にそれぞれ設けられている。
【００２２】
＜天井材＞
天井材３は、室内空間Ｈ１の天井面を構成する部材である。非居室Ｈ３側の天井材３には、上下方向に貫通する排気口３ａが形成されている。
【００２３】
＜天井裏空間＞
天井裏空間４は、天井材３と上階スラブ１４との間に形成された空間である。天井裏空間４は、図１においては、２つの仕切部材４ａによって、２つの給気経路４ｂと１つの収容空間４ｃとに区画されている。仕切部材４ａは、間仕切り壁２ｂに沿って設けられている。仕切部材４ａは、第１通気口１０に対し空気流れ方向の下流側に設けられ、第１通気口１０へ空気を導く機能も備える。給気経路４ｂは、居室Ｈ２の上方に配置されている。給気口９から流入した空気は、給気経路４ｂに供給され、第１通気口１０を通って居室Ｈ２に流入する。収容空間４ｃは、非居室Ｈ３，Ｈ４の上方に配置されている。
【００２４】
＜廻縁＞
廻縁５は、壁２と天井材３の取合部を装飾する部材である。廻縁５は、壁２と天井材３の取合部に沿って壁２に取り付けられている。廻縁５については、後に詳しく説明する。
【００２５】
＜床材＞
床材６は、室内空間Ｈ１の床面を構成するとともに、床下空間７の上面を構成する部材である。床材６は、複数の支持脚６ａを介して、スラブ１に対し上方に離間して配置されている。つまり、住宅Ｈの床は、二重床で構成されている。
【００２６】
＜床下空間＞
床下空間７は、スラブ１と床材６との間に形成された空間である。床下空間７には、居室Ｈ２の空気が第２通気口１１を介して導入される。
【００２７】
＜巾木＞
巾木８は、壁２と床材６の取合部を装飾する部材である。巾木８は、扉２ｃの設置箇所を除く、壁２と床材６の取合部に沿って壁２に取り付けられている。巾木８については、後に詳しく説明する。
【００２８】
＜給気口＞
給気口９は、屋外Ｓの空気を天井裏空間４へ取り込むための貫通孔である。給気口９は、外壁２ａを水平方向に貫通して形成されている。外壁２ａの外面には、フード９ａが給気口９の室外側開口部を覆うように取り付けられている。フード９ａの下側開口部には、異物の流入を防ぐためのフィルタ９ｂが設けられている。フィルタ９ｂは、例えば細かい網目のネット等で構成されている。なお、給気口９は、複数設けられてもよい。
【００２９】
＜第１通気口＞
第１通気口１０は、天井裏空間４の空気を居室Ｈ２へ導くための貫通孔である。第１通気口１０は、居室Ｈ２側の天井材３を上下方向に貫通して形成されている。第１通気口１０は、外壁２ａに対向する間仕切り壁２ｂに隣接して設けられている。つまり、第１通気口１０は、居室Ｈ２において、給気口９を有する外壁２ａから離れた間仕切り壁２ｂの上端に沿って設けられている。第１通気口１０については、後に詳しく説明する。
【００３０】
＜第２通気口＞
第２通気口１１は、居室Ｈ２の空気を床下空間７へ導くための貫通孔である。第２通気口１１は、居室Ｈ２側の床材６を上下方向に貫通して形成されている。第２通気口１１は、給気口９を有する外壁２ａに隣接して設けられている。つまり、第２通気口１１は、居室Ｈ２において、第１通気口１０から最も遠い位置に設けられている。第２通気口１１については、後に詳しく説明する。
【００３１】
＜排気手段＞
排気手段１２は、床下空間７及び非居室Ｈ３の空気を屋外Ｓへ排出するための手段である。排気手段１２は、第１排気ダクト１２ａと、第２排気ダクト１２ｂと、排気ファン１２ｃとで構成されている。
第１排気ダクト１２ａは、非居室Ｈ３，Ｈ４同士を区画する間仕切り壁２ｂの内部に設置されている。第１排気ダクト１２ａは、上下方向に延設されている。第１排気ダクト１２ａの下端は、床下空間７に開口している。第１排気ダクト１２ａの上端は、収容空間４ｃの第２排気ダクト１２ｂに連通している。第１排気ダクト１２ａは、床下空間７の空気を天井裏空間４側へ導く役割を担っている。
【００３２】
第２排気ダクト１２ｂは、収容空間４ｃの内部に設置されている。第２排気ダクト１２ｂは、水平方向に延設されている。第２排気ダクト１２ｂの一端は、第１排気ダクト１２ａの上端に接続されている。図示省略するが、第２排気ダクト１２ｂの他端は、屋外Ｓに開口している。第２排気ダクト１２ｂは、第１排気ダクト１２ａを通じて排出された床下空間７の空気を屋外Ｓへ導く役割を担っている。また、第２排気ダクト１２ｂは、排気ファン１２ｃにより排出された非居室Ｈ３の空気を屋外Ｓへ導く役割を担っている。なお、第２排気ダクト１２ｂを省き、収容空間４ｃから屋外Ｓへ空気を直接導く構成にしてもよい。
【００３３】
排気ファン１２ｃは、収容空間４ｃの内部に設置されている。排気ファン１２ｃは、排気口３ａに取り付けられるとともに、第２排気ダクト１２ｂの途中に取り付けられている。排気ファン１２ｃは、第２排気ダクト１２ｂを介して、床下空間７及び非居室Ｈ３の空気を屋外Ｓへ排出する役割を担っている。
【００３４】
次に、図２及び図３を参照して、第１通気口１０、廻縁５、第２通気口１１、及び、巾木８について詳しく説明する。
【００３５】
図２（ａ）に示すように、第１通気口１０は、廻縁５の直上に形成されている。第１通気口１０は、天井裏空間４の給気経路４ｂに連通している。図２（ｂ）に示すように、第１通気口１０は、水平方向に互いに間隔を空けて複数設けられている。第１通気口１０同士の間には、矩形板状のスペーサ１３が設置されている。
【００３６】
廻縁５は、複数のスペーサ１３を介して、天井材３に対し下方に離間して配置されている。これにより、天井材３と廻縁５との間には、複数の隙間Ｇ１が形成されている。隙間Ｇ１は、第１通気口１０と上下で対応する位置に形成され、間仕切り壁２ｂと天井材３の取合部に沿って設けられている。隙間Ｇ１は、第１通気口１０と居室Ｈ２とに連通している。第１通気口１０及び隙間Ｇ１は、天井裏空間４と居室Ｈ２とを繋ぐ通気路を構成している。隙間Ｇ１の高さ寸法は、例えば３〜１０ｍｍ程度に設定されている。なお、スペーサ１３に代えて、厚めの両面テープ等を用いて天井材３と廻縁５との間に隙間Ｇ１を形成してもよい。
【００３７】
廻縁５の形状は、特段限定されるものではないが、本実施形態の廻縁５は、断面視三角形状を呈している。廻縁５は、第１通気口１０の下側開口部を離間状態で覆っている。これにより、第１通気口１０が隠れて目立たなくなり、第１通気口１０を設けた場合であっても、室内の意匠性を損なうことがない。また、第１通気口１０から鉛直下向きに流れてきた空気を、廻縁５により横向きの流れに変えてから居室Ｈ２へ導入できるので、居室Ｈ２全体へ拡散させやすくなる。
【００３８】
図３（ａ）に示すように、第２通気口１１は、巾木８の直下に形成されている。第２通気口１１は、床下空間７に連通している。図３（ｂ）に示すように、第２通気口１１は、水平方向に互いに間隔を空けて複数設けられている。第２通気口１１同士の間には、矩形板状のスペーサ１３が設置されている。
【００３９】
巾木８は、複数のスペーサ１３を介して、床材６に対し上方に離間して配置されている。これにより、床材６と巾木８との間には、複数の隙間Ｇ２が形成されている。隙間Ｇ２は、第２通気口１１と上下で対応する位置に形成され、外壁２ａの室内面を構成する内装材２ｅと床材６の取合部に沿って設けられている。隙間Ｇ２は、居室Ｈ２と第２通気口１１とに連通している。第２通気口１１及び隙間Ｇ２は、居室Ｈ２と床下空間７とを繋ぐ通気路を構成している。隙間Ｇ２の高さ寸法は、例えば３〜１０ｍｍ程度に設定されている。なお、スペーサ１３に代えて、厚めの両面テープ等を用いて床材６と巾木８との間に隙間Ｇ２を形成してもよい。
【００４０】
巾木８の形状は、特段限定されるものではないが、本実施形態の巾木８は、断面視矩形状を呈している。巾木８は、第２通気口１１の上側開口部を離間状態で覆っている。これにより、第２通気口１１が隠れて目立たなくなり、第２通気口１１を設けた場合であっても、室内の意匠性を損なうことがない。
【００４１】
本実施形態に係る住宅換気システムが適用された住宅Ｈは、基本的に以上のように構成されるものであり、次に、図１乃至図３を参照してその作用効果について説明する。
【００４２】
排気ファン１２ｃを駆動すると、室内空間Ｈ１、床下空間７、天井裏空間４が負圧になる結果、屋外Ｓの空気は、給気口９から給気経路４ｂへ取り込まれる。
給気口９から流入した空気は、天井裏空間４の給気経路４ｂ全体に拡散しつつ、第１通気口１０、隙間Ｇ１の順に流れた後、居室Ｈ２へ導入される。このとき、給気経路４ｂを流れる空気は、仕切部材４ａにより第１通気口１０へ導かれやすくなる。
居室Ｈ２へ導入された空気は、居室Ｈ２全体に拡散しつつ、隙間Ｇ２及び第２通気口１１へ向けて流れる。
【００４３】
一方、排気ファン１２ｃを駆動することにより、非居室Ｈ３の空気は、第２排気ダクト１２ｂを介して、屋外Ｓへ排出される。また、床下空間７の空気は、第１排気ダクト１２ａ及び第２排気ダクト１２ｂを介して、屋外Ｓへ排出される。
そして、床下空間７が負圧となるので、居室Ｈ２の空気は、隙間Ｇ２、第２通気口１１の順に流れた後、床下空間７へ導入される。
【００４４】
したがって、本実施形態によれば、天井裏空間４の給気経路４ｂ、居室Ｈ２、床下空間７、排気手段１２を介して、給気口９から屋外Ｓへ至る換気経路を形成でき、住宅Ｈ内の換気を常時行える。
【００４５】
ちなみに、排気ファン１２ｃを駆動することにより、非居室Ｈ３も負圧となるので、居室Ｈ２へ導入された空気の一部は、アンダーカット２ｄを介して、非居室Ｈ３へ導入される。そして、非居室Ｈ３へ導入された空気は、第２排気ダクト１２ｂを介して、屋外Ｓへ排出される。なお、アンダーカット２ｄを無くし、アンダーカット２ｄから排気しない構成にしてもよい。
【００４６】
以上説明した本実施形態によれば、給気口９から流入した空気は、天井裏空間４で拡散するので、空気の流速を下げることができる。したがって、居室Ｈ２に直に空気を流入させる構成に比べ、空気が居室Ｈ２へ緩やかに導入されるので、居住者に与える不快な気流感を抑制できる。
【００４７】
本実施形態によれば、屋外Ｓで発生した音は、給気口９から天井裏空間４を通って居室Ｈ２へ伝播する一方、居室Ｈ２で発生した音は、天井裏空間４を通って給気口９から屋外Ｓへ伝播する。これにより、屋内外で発生した音は、天井裏空間４で減衰されるので、屋内外間の遮音性を向上させることができる。
【００４８】
本実施形態によれば、床下空間７を介して屋外Ｓへ空気を排出することが可能となり、アンダーカット２ｄを介して屋外Ｓへ空気を排出する必要がないので、アンダーカット２ｄを縮小乃至省略できる。したがって、アンダーカット２ｄを通る空気量を低減できるので、居住者に与える不快な気流感を抑制できる。
【００４９】
本実施形態によれば、アンダーカット２ｄを縮小乃至省略できるので、室内空間Ｈ１で発生した音がアンダーカット２ｄを通って別の室内空間Ｈ１へ漏れ難くなり、住宅Ｈ内の遮音性を向上させることができる。
【００５０】
本実施形態によれば、第１通気口１０が外壁２ａに対向する間仕切り壁２ｂに隣接して設けられることで、給気口９から第１通気口１０までの距離を長く確保できる。そのため、空気の流速をより一層下げることが可能となり、居住者に与える不快な気流感をより一層抑制できる。
【００５１】
本実施形態によれば、天井裏空間４には、仕切部材４ａによって、給気口９から流入した空気を第１通気口１０へ導く給気経路４ｂが形成されているので、給気口９から流入した空気は、給気経路４ｂをスムーズに流れつつ、仕切部材４ａにより第１通気口１０へ誘引されやすくなる。
【００５２】
本実施形態によれば、天井材３と廻縁５との間に隙間Ｇ１を形成するとともに、床材６と巾木８との間に隙間Ｇ２を形成するので、廻縁５や巾木８を加工する必要がなく、既製品をそのまま使用することができる。
【００５３】
以上、本発明の実施形態について説明したが、本発明の趣旨を逸脱しない範囲で適宜変更して実施できるのはいうまでもない。
【００５４】
例えば、本実施形態では、本発明の住宅換気システムを集合住宅に適用したが、戸建住宅に適用してもよい。
【００５５】
また、本実施形態では、床材６に貫通孔を設けることで第２通気口１１を確保したが、壁２と床材６との間に隙間を空けることで第２通気口１１を確保する構成にしてもよい。
【００５６】
また、本実施形態では、壁２と天井材３の取合部の一部に沿って第１通気口１０及び隙間Ｇ１を設けたが、壁２と天井材３の取合部の全長に亘って第１通気口１０及び隙間Ｇ１を設けてもよい。
【００５７】
また、本実施形態では、壁２と床材６の取合部の一部に沿って第２通気口１１及び隙間Ｇ２を設けたが、壁２と床材６の取合部の全長に亘って第２通気口１１及び隙間Ｇ２を設けてもよい。
【００５８】
また、図４に示すように、天井裏空間４の内部に複数の炭袋１５を設ける構成にしてもよい。炭袋１５は、炭を封入した袋体で構成され、天井裏空間４の下半部を閉塞するように配置されている。給気口９は、給気経路４ｂの上半部に連通する位置に開口している。給気口９から流入した空気は、天井裏空間４の上半部を流れるようになっている。第２排気ダクト１２ｂは、収容空間４ｃの上半部に配置されている。かかる構成によれば、炭袋１５の吸湿効果により、天井裏空間４が高湿度になることを抑制できる。また、炭袋１５の吸音効果により、床衝撃音に対する遮音性を向上させることができる。
【符号の説明】
【００５９】
Ｈ      住宅
１      スラブ
２      壁
２ａ    外壁
２ｂ    間仕切り壁
３      天井材
４      天井裏空間
４ａ    仕切部材
４ｂ    給気経路
４ｃ    収容空間
５      廻縁
６      床材
７      床下空間
８      巾木
９      給気口
１０    第１通気口
１１    第２通気口
１２    排気手段
１２ａ  第１排気ダクト
１２ｂ  第２排気ダクト
１２ｃ  排気ファン
１５    炭袋（炭）
Ｇ１，Ｇ２  隙間
Ｈ１    室内空間
Ｈ２    居室
Ｈ３，Ｈ４  非居室
Ｓ      屋外
【図１】
2015129611.tif 000003
【図２】
2015129611.tif 000004
【図３】
2015129611.tif 000005
【図４】
2015129611.tif 000006